(57)【要約】【課題】安価でありながら偽造が困難であるタグを提供することを課題とする。【解決手段】支持体である基材１１上に、可視光領域では黒色であり近赤外光領域では透明なインキにより情報を印字した不可視印字部１２と、印字した情報を目視可能な可視印字部１６と、を備えており、基材と不可視印字部の上には、可視印字部を除いて、黒色隠蔽層が備えられており、可視印刷部の上には、剥離層１７が備えられており、黒色隠蔽層と剥離層の上には、透明または半透明の粘着層１４が備えられており、粘着層の上には、透明または半透明のフィルム１５が備えられており、基材と黒色隠蔽層の接着力は、黒色隠蔽層と粘着層の接着力より強く、また不可視印字部と黒色隠蔽層の接着力は、黒色隠蔽部と粘着層の接着力および基材と不可視印字部の接着力より小さいことを特徴とするタグ１。【選択図】図１
2017122767.tif 000002
【特許請求の範囲】
【請求項１】
支持体である基材上に、可視光領域では黒色であり近赤外光領域では透明なインキにより情報を印字した不可視印字部と、印字した情報を目視可能な可視印字部と、を備えており、
基材と不可視印字部の上には、可視印字部を除いて、黒色隠蔽層が備えられており、
可視印刷部の上には、剥離層が備えられており、
黒色隠蔽層と剥離層の上には、透明または半透明の粘着層が備えられており、
粘着層の上には、透明または半透明のフィルムが備えられており、
基材と黒色隠蔽層の接着力は、黒色隠蔽層と粘着層の接着力より強く、また不可視印字部と黒色隠蔽層の接着力は、黒色隠蔽部と粘着層の接着力および基材と不可視印字部の接着力より小さいことを特徴とするタグ。
【請求項２】
支持体である基材上に、可視光領域では黒色であり近赤外光領域では透明なインキにより情報を印字した不可視印字部と、印字した情報を目視可能な可視印字部と、を備えており、
基材と不可視印字部の上には、可視印字部を除いて、黒色隠蔽層が備えられており、
可視印字部と不可視印字部の上には、剥離層が備えられており、
黒色隠蔽層と剥離層の上には、透明または半透明の粘着層が備えられており、
粘着層の上には、透明または半透明のフィルムが備えられており、
基材と黒色隠蔽層の接着力は、黒色隠蔽層と粘着層の接着力より強く、また不可視印字部と黒色隠蔽層の接着力は、黒色隠蔽部と粘着層の接着力および基材と不可視印字部の接着力より小さいことを特徴とするタグ。
【請求項３】
前記不可視印字部が熱転写可能な材料からなることを特徴とする請求項１または２に記載のタグ。
【請求項４】
前記黒色隠蔽層がカーボンブラックを含有することを特徴とする請求項１〜３のいずれかに記載のタグ。
【発明の詳細な説明】
【技術分野】
【０００１】
本発明は、ホテルのクローク、空港あるいはバスなどにおける荷物の預け入れ、引渡し時に使用するタグに関する。
【背景技術】
【０００２】
従来、荷物を預けた際に、引換券としてもらうタグ等は、英数字が記載されており、荷物を引き取る際に、その半券を見せて、預けた荷物を受取る仕組みとなっている。
【０００３】
しかしながら、この半券は単に英数字が印字、刻印されたものであるため、簡単に偽造することが可能である。
【０００４】
例えば、特許文献１には二次元コードや文字などが印字された本券とその本券から切り取り線で切り取ることができる半券が備えられた荷物預り用タグが開示されている。このようなタグでは、本券の内容に対応した半券を容易に偽造することが可能であるという問題がある。
【０００５】
また、特許文献２には本券と半券にＲＦＩＤタグを使用し、荷物の預け入れや引き取りの際に、そのＲＦＩＤタグを読み取ることによって管理する手荷物管理システムが開示されている。しかしながら、このようなシステムは１つの荷物用のタグに２つのＲＦＩＤタグを必要とし、またＲＦＩＤタグの読み取り装置や、読み取った情報を処理し、管理するための情報処理装置が必要となり、高価なものとなる。
【先行技術文献】
【特許文献】
【０００６】
【特許文献１】特開２０１０−２５６６４０号公報
【特許文献２】特開２００５−６７８６８号公報
【発明の概要】
【発明が解決しようとする課題】
【０００７】
上記の事情に鑑み、本発明は、ＲＦＩＤタグなど高価な部材を使用せずに、従来の印刷、塗工、積層などの製造設備により製造可能であり、且つ偽造が困難であるタグを提供することを課題とする。
【課題を解決するための手段】
【０００８】
上記の課題を解決する手段として、本発明の請求項１に記載の発明は、支持体である基材上に、可視光領域では黒色であり近赤外光領域では透明なインキにより情報を印字した不可視印字部と、印字した情報を目視可能な可視印字部と、を備えており、
基材と不可視印字部の上には、可視印字部を除いて、黒色隠蔽層が備えられており、
可視印刷部の上には、剥離層が備えられており、
黒色隠蔽層と剥離層の上には、透明または半透明の粘着層が備えられており、
粘着層の上には、透明または半透明のフィルムが備えられており、
基材と黒色隠蔽層の接着力は、黒色隠蔽層と粘着層の接着力より強く、また不可視印字部と黒色隠蔽層の接着力は、黒色隠蔽部と粘着層の接着力および基材と不可視印字部の接着力より小さいことを特徴とするタグである。
【０００９】
また、請求項２に記載の発明は、支持体である基材上に、可視光領域では黒色であり近赤外光領域では透明なインキにより情報を印字した不可視印字部と、印字した情報を目視可能な可視印字部と、を備えており、
基材と不可視印字部の上には、可視印字部を除いて、黒色隠蔽層が備えられており、
可視印字部と不可視印字部の上には、剥離層が備えられており、
黒色隠蔽層と剥離層の上には、透明または半透明の粘着層が備えられており、
粘着層の上には、透明または半透明のフィルムが備えられており、
基材と黒色隠蔽層の接着力は、黒色隠蔽層と粘着層の接着力より強く、また不可視印字部と黒色隠蔽層の接着力は、黒色隠蔽部と粘着層の接着力および基材と不可視印字部の接着力より小さいことを特徴とするタグである。
【００１０】
また、請求項３に記載の発明は、前記不可視印字部が熱転写可能な材料からなることを特徴とする請求項１または２に記載のタグである。
【００１１】
また、請求項４に記載の発明は、前記黒色隠蔽層がカーボンブラックを含有することを特徴とする請求項１〜３のいずれかに記載のタグである。
【発明の効果】
【００１２】
本発明のタグによれば、基材に可視光領域では黒色で、近赤外光領域では透明なインキを用いて情報を印字することで不可視印字部を備え、一方で基材の一部には目視可能なインキで情報を印字する可視印字部を備え、更に不可視印字部の上には黒色隠蔽層を形成し、可視印字部には剥離層を備えている構成である。そのため、可視印字部の剥離層によって可視印字部は、その上に備えられている粘着層と半透明フィルムを容易に剥離することができる。また、基材と黒色隠蔽層の接着力は、黒色隠蔽層と粘着層の接着力より強いため、黒色隠蔽層と粘着層の間で剥離が起こり、不可視印字部と黒色隠蔽層の接着力は、黒色隠蔽部と粘着層の接着力および基材と不可視印字部の接着力より小さいため、不可視印字部と黒色隠蔽層の間で安定して剥離が起こる。
【００１３】
以上のような構成により、本発明のタグは偽造困難とすることができる。また、本発明のタグはＲＦＩＤタグを使用しておらず、従来の印刷、塗工、積層などの製造設備を使用して製造可能であるため安価に製造することができる。
【図面の簡単な説明】
【００１４】
【図１】本発明のタグの断面構造の一例を示す概略断面図。
【図２】本発明のタグの断面構造の一例を示す概略断面図。
【図３】図１に示した本発明のタグに対応した概略平面図。
【図４】図１に示した本発明のタグの半透明フィルム層を剥離した状態の例を示した概略説明図。
【図５】図１に示した本発明のタグの半透明フィルム層を剥離することによって２つの半券に分離した状態の例を示す説明図であって、（ａ）は半券、（ｂ）はもう一方の半券を示している。
【図６】図４（ａ）に示した本券を撮像装置で読み取る方法を説明する概略説明図。
【図７】図４（ｂ）に示した半券を二次元コードスキャナーで読み取る方法を説明する概略説明図。
【発明を実施するための形態】
【００１５】
本発明のタグの実施形態について説明する。
＜第一の実施形態＞
本発明のタグは、支持体である基材上に、可視光領域では黒色であり、近赤外光領域では透明なインキにより情報を印字した不可視印字部と、印字した情報を目視可能な可視印字部と、を備えている。
【００１６】
基材と不可視印字部の上には、可視印字部を除いて、黒色隠蔽層が備えられており、可視印刷部の上には、剥離層が備えられている。この剥離層によって、本発明のタグを引き剥がすことが容易になる。
黒色隠蔽層と剥離層の上には、透明または半透明の粘着層が備えられており、粘着層の上には、透明または半透明のフィルムが備えられている。この構成は、粘着テープと同等である。
【００１７】
基材と黒色隠蔽層の接着力は、黒色隠蔽層と粘着層の接着力より強く、また粘着層と黒色隠蔽層の接着力は、黒色隠蔽層と不可視印字部との接着力より強いことが必要である。このことによって、可視印字部の粘着層と半透明フィルムを剥離層から引き剥がし、更に引き剥がす力を加えることによって、黒色隠蔽部と粘着層が剥離し、更に不可視印字部と黒色隠蔽部が剥離し、更に不可視印字部と黒色隠蔽部が剥離し終わってから、粘着層と黒色隠蔽層が剥離し、それが全て剥離することによって、本発明のタグは、２つの半券に分離する。
【００１８】
次に、図１、３、４、５を用いて、詳細に説明する。
本発明のタグ１は、支持体である基材１１の片面に、可視光領域では黒色であり、近赤外光領域（波長：０．８μｍ〜２．５μｍの赤外線）においては透明なインキを用いて、タグ１を取り付ける物品に関する情報を印字し、不可視印字部１２を形成することができる。基材１１としては、紙、樹脂フィルム、樹脂コートした紙など、タグとしての物理的な強度を備えており、インキによる印字が可能であれば特に限定する必要はない。印字の手段としては、熱転写リボンとサーマルヘッドを使用した熱転写プリンタを好適に使用できるが、これに限定する必要はなく、上記の光学的な特性を満たすインキを印字可能な手段であれば良い。例えば、インクジェット方式の印刷装置を使用することも可能である。
【００１９】
一方、可視印字部１６は、基材１１上に通常の可視光領域で目視可能なインキを使用してタグ１を取り付ける物品に関する情報を印刷する。印刷する手段としては、インクジェット方式の印刷装置や熱転写プリンタを好適に使用することができる。
【００２０】
不可視印字部１２と可視印字部１６は、どちらを先に印刷しても構わない。
【００２１】
不可視印字部１２の上には、不可視印字部１２に印刷した情報を目視できないように、下地の印字が見えないような不透明なインキを印刷し、黒色隠蔽層１３を形成することができる。不透明なインキとしては、代表的には墨インキを挙げることができる。印刷する手段としては特に限定する必要はないが、例えばオフセット印刷によって実施可能である。
【００２２】
可視印字部１６の上には、印字した情報が目視できるように、透明なインキなどを塗布あるいは印刷することにより剥離層１７を形成することができる。剥離層１７の材料としては、剥離ニスに代表される剥離性を備えたインキなどを好適に使用することができる。塗布あるいは印刷する手段としては特に限定する必要はないが、例えばオフセット印刷によって実施可能である。
【００２３】
このようにして作製した黒色隠蔽層１３と剥離層１７の上に、粘着層１４を介して、半透明フィルム１５を貼り合わせることによって、本発明のタグ１の層構成を備えた積層体を作製することができる。このようにしてタグを多面付けして作製し、それを断裁することによって、１つ１つのタグ１を作製することができる。
【００２４】
このようにして作製したタグ１を図１の上方から見た平面図の例を図３に示す。殆どの部分は黒色隠蔽層１３が半透明フィルム１５を介して見えており、タグ１の一部に可視印
字部１６が見えている状態のタグとなる。この可視印字部１６には、各種の情報を印字することが可能である。また各種の画像を備えることも可能である。
【００２５】
このようにして作製したタグ１が、良好に剥離することができるためには、下記のような条件が必要である。
それは、基材１１と黒色隠蔽層１３の間の接着力が、黒色隠蔽層１３と粘着層１４の間の接着力より強く、且つ粘着層１４と黒色隠蔽層１３の間の接着力は、黒色隠蔽層１３と不可視印字部１２との接着力より強いことが必要である。
このような条件を備えていることにより、可視印字部１６の剥離層１７があることで、その上にある粘着層１４と容易に剥離させることができるが、それをきっかけにして、半透明フィルム１５と剥離層１７以下の基材１１側を引き剥がして行くと、まず、黒色隠蔽層１３と粘着層１４の間で剥離する。更に引き剥がして行くと、黒色隠蔽層１３と不可視印字部１２の間で剥離する。更に引き剥がして行くと、再び黒色隠蔽層１３と粘着層１４の間で剥離し、最後まで剥離することによって、タグ１は２つの半券となる（図４および図５参照）。
【００２６】
図５に示したように、本発明のタグ１を使用した場合、例えば空港で荷物を預けると、荷物に取り付けたタグ１を引き剥がすことで、図５（ａ）と（ｂ）に示した二枚の半券１ａ、１ｂができる。荷物に半券１ｂ粘着層１４を面して貼り付け、もう一方の半券１ａを荷物を預けた人が持っておき、荷物を受取る時に、例えば、図６に示したような読み取り装置によって持参した半券１ａを読み取ることによって、荷物に取り付けてある半券１ｂと照合することが可能である。
【００２７】
図６に例示した読み取り装置は、半券１ａを赤外線照明２４で照明し、半券１ａから反射した半券１ａの像を、可視光カットフィルター２３を通すことによって、赤外線だけの像情報として、撮像装置２２で撮像することによって、モニター２１に半券１ａに印字されている不可視印字部１２の画像を捉え、その情報を読み取ることができる。
【００２８】
一方、荷物を預けた人が持っている半券１ａは、例えば図７に示したような、二次元バーコードスキャナー３１を用いて、半券１ｂの剥離した半透明フィルム１５上の黒色隠蔽部１３ａの画像を読み取ることができ、これによって荷物を預けた人と荷物の照合が可能となる。
【００２９】
このようにして、荷物に取り付けた半券を第三者に読み取られることができないため、荷物を預けた人が持っている半券を偽造することができない。また、本発明のタグは、ＲＦＩＤタグを使用した荷物管理システムのような高価なタグや情報処理システムを必要とせず、単に二次元コードスキャナーなどの読取装置でタグのコードを読み取り、モニターに映し出し、その情報を表示する装置で運用可能である。
【００３０】
＜第二の実施形態＞
次に、本発明のタグの第二の実施形態について説明する。
本発明のタグの第二の実施形態は、第一の実施形態において、図１で示した不可視印字部１２の上に、剥離層１７´を備えていることである（図２参照）。
【００３１】
このような構成とすることにより、黒色隠蔽層１３と不可視印字部１２の接着力を低下させることができるため、更に確実に剥離することが可能となる。
【実施例】
【００３２】
次に、本発明の実施例について説明する。なお、本実施例にて説明する内容はこの内容に限定するものでは無く、本発明のタグを更に具体的に実施可能であることを示すための
ものである。
【００３３】
＜実施例１＞
まず、基材として坪量１０４．７ｇ・ｍ２のコート紙上に、目視では黒色であるが、近赤外線領域では透明な下記組成の熱転写リボンを用いて、６００ｄｐｉのサーマルヘッドを使用した熱転写プリンタにて、二次元コードを印字した。
[熱転写リボンの組成]
藍顔料  （ＭＨＩシアン＃４７９３Ｍ  御國色素社製）            ２．５重量部
紅顔料  （ＭＨＩレッド＃４８２８Ｍ  御國色素社製）            ４．３重量部
黄顔料  （ＭＨＩイエロー＃４９７３Ｍ  御國色素社製）          ３．２重量部
エポキシ樹脂  （ＪＥＲ１００３  三菱化学社製）              ２０．０重量部
シリカ  （サイロホービック１００  富士シリシア社製）          ３．０重量部
ＭＥＫ                                                      ６７．０重量部
【００３４】
その上に、プロセス墨色のＵＶ硬化タイプのオフセットインキ（ＦＤ  カルトンＸ  墨
東洋インキ社製）にて、二次元コード全体が隠蔽されるように１回〜２回印刷した。
【００３５】
また、コート紙上の一部に剥離ニス（ＵＶハクリＯＰニスＵＰ−２  Ｔ＆Ｋ  ＴＯＫＡ社製）をオフセット印刷法で印刷した。
更にその上に、ポリエステル製粘着テープ（８４０１  ３Ｍ社製）を貼付し、所定の大きさに断裁することで、本発明のタグを得た。
【００３６】
以上のような方法で作製したタグは、目視で図３に示したような状態（殆どの部分が黒く、一部に印字部が見える状態）になっており、図４に例示したように、剥離ニスが印刷されている部分（可視印字部１６）から粘着テープを剥がすと、図５（ａ）および図５（ｂ）に示したように、２枚の半券ａおよび半券ｂが得られる。
【００３７】
半券ａは、目視では図５（ａ）に示した半券ａは、目視では図３に示した本発明のタグと変わりが無い外見をしている。一方、図５（ｂ）に示した半券ｂは、目視では黒色の熱転写リボンによる二次元コードが確認できる。
【００３８】
半券ｂには粘着層１４が形成されているため、物品に貼り付けることができる。また、図６に示したように、通常の二次元コードスキャナーを用いて半券ｂの情報を読み取ることができる。一方、半券ａは図７に示したような近赤外線領域の情報を読み取ることができる読み取り装置を用いることで、二次元コードの内容がデコードされ、情報を確認できることから、半券ｂとの照合が可能となる。
【符号の説明】
【００３９】
１・・・タグ
１ａ・・・半券ａ
１ｂ・・・半券ｂ
１１・・・基材
１２・・・不可視印字部
１３・・・黒色隠蔽部
１３ａ・・・剥離した黒色隠蔽部
１４・・・粘着層
１５・・・半透明フィルム
１６・・・可視印字部
１７、１７´・・・剥離層
２１・・・モニター
２２・・・撮像装置
２３・・・可視光カットフィルター
２４・・・赤外線照明
３１・・・二次元コードスキャナー
【図１】
2017122767.tif 000003
【図２】
2017122767.tif 000004
【図３】
2017122767.tif 000005
【図４】
2017122767.tif 000006
【図５】
2017122767.tif 000007
【図６】
2017122767.tif 000008
【図７】
2017122767.tif 000009